(57)【要約】【課題】使い勝手や汎用性などの向上による高性能化を確実に図ることのできるベッドを提供する。【解決手段】ロック付きガススプリング３５の弁体４９が連通路４７を閉じたロック状態を使用者の手の把握動作によりプッシュロッド５３を押し込んで解除する操作手段６０を設けるとともに、この操作手段６０に、ロック付きガススプリング３５のロック状態を解除した際に、メインフレーム４の昇降速度あるいは背ボトム６の起倒速度が使用者に安全な速度となるようにピストンロッド４２の動作速度を制御する速度制御手段７８を設ける。【選択図】図１
2007282835.tif 000002
【特許請求の範囲】
【請求項１】
ロック付きガススプリングを駆動源とする昇降機構を介してベースフレーム上に昇降自在に形成されているメインフレームを備えており、
前記ロック付きガススプリングが、内部に少なくとも圧縮ガスが封入されたシリンダと、このシリンダ内に摺動可能に挿嵌され前記シリンダ内を２室に区画するピストンと、一端がピストンに連結され他端が前記シリンダ外に延出されたピストンロッドと、前記シリンダの２室間を連通する連通路と、この連通路を開閉する弁体と、この弁体に一端が当接し他端がピストンロッドの外部まで延出されたプッシュロッドとを備え、前記プッシュロッドを外部から操作して前記連通路を開閉して、前記ピストンロッドのシリンダに対する長さを任意の長さに調節自在に形成されているベッドにおいて、
前記ロック付きガススプリングの弁体が連通路を閉じたロック状態を使用者の手の把握動作により前記プッシュロッドを押し込んで解除する操作手段が設けられているとともに、この操作手段には、前記ロック付きガススプリングのロック状態を解除した際に、前記メインフレームの昇降速度が使用者に安全な速度となるように前記ピストンロッドの動作速度を制御する速度制御手段が設けられていることを特徴とするベッド。
【請求項２】
ロック付きガススプリングを駆動源とする昇降機構を介してベースフレーム上に昇降自在に形成されているメインフレームを備えており、
前記ロック付きガススプリングが、内部に少なくとも圧縮ガスが封入されたシリンダと、このシリンダ内に摺動可能に挿嵌され前記シリンダ内を２室に区画するピストンと、一端がピストンに連結され他端が前記シリンダ外に延出されたピストンロッドと、前記シリンダの２室間を連通する連通路と、この連通路を開閉する弁体と、この弁体に一端が当接し他端がピストンロッドの外部まで延出されたプッシュロッドとを備え、前記プッシュロッドを外部から操作して前記連通路を開閉して、前記ピストンロッドのシリンダに対する長さを任意の長さに調節自在に形成されているベッドにおいて、
前記ロック付きガススプリングの弁体が連通路を閉じたロック状態を解除した際に、前記ベースフレームを上昇させる方向に付勢する付勢手段が設けられているとともに、この付勢手段は、使用者の体重に基づいて付勢力を調節することができるように形成されていることを特徴とするベッド。
【請求項３】
ロック付きガススプリングを駆動源とする昇降機構を介してベースフレーム上に昇降自在に形成されているメインフレームを備えており、
前記ロック付きガススプリングが、内部に少なくとも圧縮ガスが封入されたシリンダと、このシリンダ内に摺動可能に挿嵌され前記シリンダ内を２室に区画するピストンと、一端がピストンに連結され他端が前記シリンダ外に延出されたピストンロッドと、前記シリンダの２室間を連通する連通路と、この連通路を開閉する弁体と、この弁体に一端が当接し他端がピストンロッドの外部まで延出されたプッシュロッドとを備え、前記プッシュロッドを外部から操作して前記連通路を開閉して、前記ピストンロッドのシリンダに対する長さを任意の長さに調節自在に形成されているベッドにおいて、
前記ロック付きガススプリングの弁体が連通路を閉じたロック状態を使用者の手の把握動作により前記プッシュロッドを押し込んで解除する操作手段が設けられているとともに、この操作手段には、前記ロック付きガススプリングのロック状態を解除した際に、前記メインフレームの昇降速度が使用者に安全な速度となるように前記ピストンロッドの動作速度を制御する速度制御手段が設けられており、
さらに、前記ロック付きガススプリングの弁体が連通路を閉じたロック状態を解除した際に、前記ベースフレームを上昇させる方向に付勢する付勢手段が設けられているとともに、この付勢手段は、使用者の体重に基づいて付勢力を調節することができるように形成されていることを特徴とするベッド。
【請求項４】
ロック付きガススプリングを駆動源とする背上げ機構を介してメインフレーム上に起倒自在に配設されている背ボトムを備えており、
前記ロック付きガススプリングが、内部に少なくとも圧縮ガスが封入されたシリンダと、このシリンダ内に摺動可能に挿嵌され前記シリンダ内を２室に区画するピストンと、一端がピストンに連結され他端が前記シリンダ外に延出されたピストンロッドと、前記シリンダの２室間を連通する連通路と、この連通路を開閉する弁体と、この弁体に一端が当接し他端がピストンロッドの外部まで延出されたプッシュロッドとを備え、前記プッシュロッドを外部から操作して前記連通路を開閉して、前記ピストンロッドのシリンダに対する長さを任意の長さに調節自在に形成されているベッドにおいて、
前記ロック付きガススプリングの弁体が連通路を閉じたロック状態を使用者の手の把握動作により前記プッシュロッドを押し込んで解除する操作手段が設けられているとともに、この操作手段には、前記ロック付きガススプリングのロック状態を解除した際に、前記背ボトムの起倒速度が使用者に安全な速度となるように前記ピストンロッドの動作速度を制御する速度制御手段が設けられていることを特徴とするベッド。
【請求項５】
ロック付きガススプリングを駆動源とする背上げ機構を介してメインフレーム上に起倒自在に配設されている背ボトムを備えており、
前記ロック付きガススプリングが、内部に少なくとも圧縮ガスが封入されたシリンダと、このシリンダ内に摺動可能に挿嵌され前記シリンダ内を２室に区画するピストンと、一端がピストンに連結され他端が前記シリンダ外に延出されたピストンロッドと、前記シリンダの２室間を連通する連通路と、この連通路を開閉する弁体と、この弁体に一端が当接し他端がピストンロッドの外部まで延出されたプッシュロッドとを備え、前記プッシュロッドを外部から操作して前記連通路を開閉して、前記ピストンロッドのシリンダに対する長さを任意の長さに調節自在に形成されているベッドにおいて、
前記ロック付きガススプリングの弁体が連通路を閉じたロック状態を解除した際に、前記背ボトムを起こす方向に付勢する付勢手段が設けられているとともに、この付勢手段は、使用者の体重に基づいて付勢力を調節することができるように形成されていることを特徴とするベッド。
【請求項６】
ロック付きガススプリングを駆動源とする背上げ機構を介してメインフレーム上に起倒自在に配設されている背ボトムを備えており、
前記ロック付きガススプリングが、内部に少なくとも圧縮ガスが封入されたシリンダと、このシリンダ内に摺動可能に挿嵌され前記シリンダ内を２室に区画するピストンと、一端がピストンに連結され他端が前記シリンダ外に延出されたピストンロッドと、前記シリンダの２室間を連通する連通路と、この連通路を開閉する弁体と、この弁体に一端が当接し他端がピストンロッドの外部まで延出されたプッシュロッドとを備え、前記プッシュロッドを外部から操作して前記連通路を開閉して、前記ピストンロッドのシリンダに対する長さを任意の長さに調節自在に形成されているベッドにおいて、
前記ロック付きガススプリングの弁体が連通路を閉じたロック状態を使用者の手の把握動作により前記プッシュロッドを押し込んで解除する操作手段が設けられているとともに、この操作手段には、前記ロック付きガススプリングのロック状態を解除した際に、前記背ボトムの起倒速度が使用者に安全な速度となるように前記ピストンロッドの動作速度を制御する速度制御手段が設けられており、
さらに、前記ロック付きガススプリングの弁体が連通路を閉じたロック状態を解除した際に、前記背ボトムを起こす方向に付勢する付勢手段が設けられているとともに、この付勢手段は、使用者の体重に基づいて付勢力を調節することができるように形成されていることを特徴とするベッド。
【請求項７】
ロック付きガススプリングを駆動源とする昇降機構を介してベースフレーム上に昇降自在に形成されているメインフレームと、ロック付きガススプリングを駆動源とする背上げ機構を介してメインフレーム上に起倒自在に配設されている背ボトムとを備えており、
前記各ロック付きガススプリングが、内部に少なくとも圧縮ガスが封入されたシリンダと、このシリンダ内に摺動可能に挿嵌され前記シリンダ内を２室に区画するピストンと、一端がピストンに連結され他端が前記シリンダ外に延出されたピストンロッドと、前記シリンダの２室間を連通する連通路と、この連通路を開閉する弁体と、この弁体に一端が当接し他端がピストンロッドの外部まで延出されたプッシュロッドとを備え、前記プッシュロッドを外部から操作して前記連通路を開閉して、前記ピストンロッドのシリンダに対する長さを任意の長さに調節自在に形成されているベッドにおいて、
前記昇降機構の駆動源としての前記ロック付きガススプリングの弁体が連通路を閉じたロック状態を使用者の手の把握動作により前記プッシュロッドを押し込んで解除する操作手段が設けられているとともに、この操作手段には、前記ロック付きガススプリングのロック状態を解除した際に、前記メインフレームの昇降速度が使用者に安全な速度となるように前記ピストンロッドの動作速度を制御する速度制御手段が設けられており、さらに、前記ロック付きガススプリングの弁体が連通路を閉じたロック状態を解除した際に、前記ベースフレームを上昇させる方向に付勢する付勢手段が設けられているとともに、この付勢手段は、使用者の体重に基づいて付勢力を調節することができるように形成されており、
前記背上げ機構の駆動源としての前記ロック付きガススプリングの弁体が連通路を閉じたロック状態を使用者の手の把握動作により前記プッシュロッドを押し込んで解除する操作手段が設けられているとともに、この操作手段には、前記ロック付きガススプリングのロック状態を解除した際に、前記背ボトムの起倒速度が使用者に安全な速度となるように前記ピストンロッドの動作速度を制御する速度制御手段が設けられており、さらに、前記ロック付きガススプリングの弁体が連通路を閉じたロック状態を解除した際に、前記背ボトムを起こす方向に付勢する付勢手段が設けられているとともに、この付勢手段は、使用者の体重に基づいて付勢力を調節することができるように形成されていることを特徴とするベッド。
【請求項８】
前記速度制御手段は、前記プッシュロッドを押し込んだ時に、前記弁体が連通路を閉じた全閉状態から弁体が連通路を開いた全開状態へ至るまでの任意の位置を使用者の体重に基づいて取り得るように、前記プッシュロッドの押込量を調節するように形成されている請求項１、３、４、６、７のいずれか１項に記載のベッド。
【発明の詳細な説明】
【技術分野】
【０００１】
本発明は、在宅・施設・病院などで介護あるいは療養するときに利用されるベッドに係り、特に、メインフレームの昇降や背ボトムの起倒をガススプリングを用いて行うのに好適なベッドに関する。
【背景技術】
【０００２】
従来から、介護用や療養用として利用されるベッドには、使用者がベッドに乗り降りしやすくしたり、介護者などが介護しやすくしたりするために、メインフレームの昇降機能、背ボトムの背上げ機能、脚ボトムの脚上げ機能などの各種の機能を単独もしくは組み合わせたものが用いられている。そして、このようなベッドにおけるメインフレームの昇降あるいは背ボトムの起倒の駆動源として、構成が簡単で、電力が不要であるので停電のときも使用でき、製品のコストを抑えることができるなどの理由により、ガススプリングを用いたものが知られている（例えば、特許文献１参照）。
【０００３】
従来のベッドのガススプリングとしては、内部に圧縮ガスおよびオイルが封入されたシリンダと、このシリンダ内に摺動可能に挿嵌されシリンダ内を２室に区画するピストンと、一端がピストンに連結され他端がシリンダ外に延出されたピストンロッドと、シリンダの２室間を連通する連通路と、この連通路を開閉する弁体と、この弁体に一端が当接し他端がピストンロッドの外部まで延出されたプッシュロッド（ピン）とを備え、プッシュロッドを外部から操作して連通路を弁体で開閉することにより、ピストンロッドのシリンダに対する長さ（突出長さ）を任意に調節可能な油圧ロック機構付きガススプリング、フリーロックガススプリングなどと称されるロック付きガススプリングが一般的に用いられている。
【０００４】
このようなロック付きガススプリングとしては、市場において市販されている一般的なものが、入手し易く、コストも安価であるなどの理由により多用されている。
【０００５】
なお、このようなロック付きガススプリングは、椅子やテーブルの昇降の駆動源としても用いられている。
【０００６】
【特許文献１】特開平９−３８１４９号公報（段落番号０００２）
【発明の開示】
【発明が解決しようとする課題】
【０００７】
しかしながら、従来のベッドにおいては、近年の高性能化の要求に応えることができないという問題点があった。
【０００８】
例えば、従来の市販されている一般的なロック付きガススプリングでは、ピストンロッドの動作速度が毎秒２０ｍｍ程度以上と速く、介護用や療養用に用いられるベッドに要求される毎秒３〜６ｍｍ程度の速度が使用者に安全な速度とされているベッドのメインフレームの昇降あるいは背ボトムの起倒に用いるには危険性が大きいという問題があった。
【０００９】
さらに、従来のベッドに用いるロック付きガススプリングは、シリンダの２室間を連通する連通路の流路面積が一定となっているので、連通路のもつ一定の流路面積によって、ピストンロッドの伸長および縮小の速度が決定されてしまう。このため、使用者の体重の重い軽いにより、ピストンロッドの動作速度、特に縮小時の速度に差が生じてしまうという問題があった。このことは、例えば、ガススプリングを駆動源とするリクライニングシートの背もたれを操作レバーを操作して起こすときに、背もたれが高速で作動することからも明白である。
【００１０】
したがって、市販のロック付きガススプリングを用いて使用者の多様な体重に対応してメインフレームの昇降あるいは背ボトムの起倒のそれぞれの速度を安全かつ適正に制御することができない、すなわち、使い勝手や汎用性に劣るという問題があった。
【００１１】
また、ロック付きガススプリングは、そのばね特性がコイルばねに比べると平坦（たわみの変化に対する荷重の変化が小さい）に形成されているため、ベッドのメインフレームの昇降に用いた場合、使用者の体重の重い軽いによりメインフレームの昇降動作に不都合が生じるという問題がある。
【００１２】
例えば、ロック付きガススプリングのガス反力を小さくすると、使用者の体重が４５ｋｇ程度と軽い場合にはメインフレームの上昇動作を行うことはできるものの、体重が６０ｋｇ程度と重い場合にはメインフレームの上昇動作を行うことができなくなるという問題がある。また、ガス反力を大きくすると、使用者の体重が６０ｋｇ程度と重い場合にはメインフレームの下降動作を行うことはできるものの、体重が４５ｋｇ程度と軽い場合にはメインフレームの下降動作を行うことができなくなるという問題がある。
【００１３】
したがって、従来のベッド、すなわち、ベッドにおけるメインフレームの昇降あるいは背ボトムの起倒の駆動源として市販のロック付きガススプリングを用た場合、使用者の多様な体重に対応することができない、すなわち、使い勝手や汎用性に劣るという問題があった。
【００１４】
そこで、使い勝手や汎用性などの向上による高性能化を確実に図ることのできるベッドが求められている。
【００１５】
なお、椅子の高さ調節に用いるために、プッシュロッドの操作量に応じてピストンロッドの伸縮速度を速く、あるいは遅くすることのできる専用のロック付きガススプリングが、特開２００４−６０８７７号公報などにおいて提案されているが、このようなロック付きガススプリングは、内部構成を特殊な構造とすることで、ピストンロッドの伸縮速度を複数段階に調節するものであり、その構造が特殊かつ複雑で低コスト化の阻害要因になる。さらに、このようなロック付きガススプリングをメインフレームの昇降に用いるには、メインフレームの重量およびメインフレーム上に配置される寝具などの重量ならびに使用者の体重を考慮してロック付きガススプリングのガス反力を設定する必要があり、椅子の着座部位および使用者の体重を考慮してガス反力が設定される椅子の高さ調節に用いるロック付きガススプリングのガス反力ではベッドに使用することはできない。
【００１６】
本発明はこの点に鑑みてなされたものであり、使い勝手や汎用性などの向上による高性能化を確実に図ることのできるベッドを提供することを目的とする。
【課題を解決するための手段】
【００１７】
前述した目的を達成するため特許請求の範囲の請求項１に係る本発明のベッドの特徴は、ロック付きガススプリングを駆動源とする昇降機構を介してベースフレーム上に昇降自在に形成されているメインフレームを備えており、前記ロック付きガススプリングが、内部に少なくとも圧縮ガスが封入されたシリンダと、このシリンダ内に摺動可能に挿嵌され前記シリンダ内を２室に区画するピストンと、一端がピストンに連結され他端が前記シリンダ外に延出されたピストンロッドと、前記シリンダの２室間を連通する連通路と、この連通路を開閉する弁体と、この弁体に一端が当接し他端がピストンロッドの外部まで延出されたプッシュロッドとを備え、前記プッシュロッドを外部から操作して前記連通路を開閉して、前記ピストンロッドのシリンダに対する長さを任意の長さに調節自在に形成されているベッドにおいて、前記ロック付きガススプリングの弁体が連通路を閉じたロック状態を使用者の手の把握動作により前記プッシュロッドを押し込んで解除する操作手段が設けられているとともに、この操作手段には、前記ロック付きガススプリングのロック状態を解除した際に、前記メインフレームの昇降速度が使用者に安全な速度となるように前記ピストンロッドの動作速度を制御する速度制御手段が設けられている点にある。そして、このような構成を採用したことにより、メインフレームの昇降速度を使用者に安全な速度とすることができる。
【００１８】
また、請求項２に係る本発明のベッドの特徴は、ロック付きガススプリングを駆動源とする昇降機構を介してベースフレーム上に昇降自在に形成されているメインフレームを備えており、前記ロック付きガススプリングが、内部に少なくとも圧縮ガスが封入されたシリンダと、このシリンダ内に摺動可能に挿嵌され前記シリンダ内を２室に区画するピストンと、一端がピストンに連結され他端が前記シリンダ外に延出されたピストンロッドと、前記シリンダの２室間を連通する連通路と、この連通路を開閉する弁体と、この弁体に一端が当接し他端がピストンロッドの外部まで延出されたプッシュロッドとを備え、前記プッシュロッドを外部から操作して前記連通路を開閉して、前記ピストンロッドのシリンダに対する長さを任意の長さに調節自在に形成されているベッドにおいて、前記ロック付きガススプリングの弁体が連通路を閉じたロック状態を解除した際に、前記ベースフレームを上昇させる方向に付勢する付勢手段が設けられているとともに、この付勢手段は、使用者の体重に基づいて付勢力を調節することができるように形成されている点にある。そして、このような構成を採用したことにより、使用者の体重の重い軽いにかかわらずメインフレームの昇降動作を行うことができる。
【００１９】
さらに、請求項３に係る本発明のベッドの特徴は、ロック付きガススプリングを駆動源とする昇降機構を介してベースフレーム上に昇降自在に形成されているメインフレームを備えており、前記ロック付きガススプリングが、内部に少なくとも圧縮ガスが封入されたシリンダと、このシリンダ内に摺動可能に挿嵌され前記シリンダ内を２室に区画するピストンと、一端がピストンに連結され他端が前記シリンダ外に延出されたピストンロッドと、前記シリンダの２室間を連通する連通路と、この連通路を開閉する弁体と、この弁体に一端が当接し他端がピストンロッドの外部まで延出されたプッシュロッドとを備え、前記プッシュロッドを外部から操作して前記連通路を開閉して、前記ピストンロッドのシリンダに対する長さを任意の長さに調節自在に形成されているベッドにおいて、前記ロック付きガススプリングの弁体が連通路を閉じたロック状態を使用者の手の把握動作により前記プッシュロッドを押し込んで解除する操作手段が設けられているとともに、この操作手段には、前記ロック付きガススプリングのロック状態を解除した際に、前記メインフレームの昇降速度が使用者に安全な速度となるように前記ピストンロッドの動作速度を制御する速度制御手段が設けられており、さらに、前記ロック付きガススプリングの弁体が連通路を閉じたロック状態を解除した際に、前記ベースフレームを上昇させる方向に付勢する付勢手段が設けられているとともに、この付勢手段は、使用者の体重に基づいて付勢力を調節することができるように形成されている点にある。そして、このような構成を採用したことにより、メインフレームの昇降速度を使用者に安全な速度とすることができるとともに、使用者の体重の重い軽いにかかわらずメインフレームの昇降動作を行うことができる。
【００２０】
また、請求項４に係る本発明のベッドの特徴は、ロック付きガススプリングを駆動源とする背上げ機構を介してメインフレーム上に起倒自在に配設されている背ボトムを備えており、前記ロック付きガススプリングが、内部に少なくとも圧縮ガスが封入されたシリンダと、このシリンダ内に摺動可能に挿嵌され前記シリンダ内を２室に区画するピストンと、一端がピストンに連結され他端が前記シリンダ外に延出されたピストンロッドと、前記シリンダの２室間を連通する連通路と、この連通路を開閉する弁体と、この弁体に一端が当接し他端がピストンロッドの外部まで延出されたプッシュロッドとを備え、前記プッシュロッドを外部から操作して前記連通路を開閉して、前記ピストンロッドのシリンダに対する長さを任意の長さに調節自在に形成されているベッドにおいて、前記ロック付きガススプリングの弁体が連通路を閉じたロック状態を使用者の手の把握動作により前記プッシュロッドを押し込んで解除する操作手段が設けられているとともに、この操作手段には、前記ロック付きガススプリングのロック状態を解除した際に、前記背ボトムの起倒速度が使用者に安全な速度となるように前記ピストンロッドの動作速度を制御する速度制御手段が設けられている点にある。そして、このような構成を採用したことにより、背ボトムの起倒速度を使用者に安全な速度とすることができる。
【００２１】
また、請求項５に係る本発明のベッドの特徴は、ロック付きガススプリングを駆動源とする背上げ機構を介してメインフレーム上に起倒自在に配設されている背ボトムを備えており、前記ロック付きガススプリングが、内部に少なくとも圧縮ガスが封入されたシリンダと、このシリンダ内に摺動可能に挿嵌され前記シリンダ内を２室に区画するピストンと、一端がピストンに連結され他端が前記シリンダ外に延出されたピストンロッドと、前記シリンダの２室間を連通する連通路と、この連通路を開閉する弁体と、この弁体に一端が当接し他端がピストンロッドの外部まで延出されたプッシュロッドとを備え、前記プッシュロッドを外部から操作して前記連通路を開閉して、前記ピストンロッドのシリンダに対する長さを任意の長さに調節自在に形成されているベッドにおいて、前記ロック付きガススプリングの弁体が連通路を閉じたロック状態を解除した際に、前記背ボトムを起こす方向に付勢する付勢手段が設けられているとともに、この付勢手段は、使用者の体重に基づいて付勢力を調節することができるように形成されている点にある。そして、このような構成を採用したことにより、使用者の体重の重い軽いにかかわらず背ボトムの起倒動作を行うことができる。
【００２２】
また、請求項６に係る本発明のベッドの特徴は、ロック付きガススプリングを駆動源とする背上げ機構を介してメインフレーム上に起倒自在に配設されている背ボトムを備えており、前記ロック付きガススプリングが、内部に少なくとも圧縮ガスが封入されたシリンダと、このシリンダ内に摺動可能に挿嵌され前記シリンダ内を２室に区画するピストンと、一端がピストンに連結され他端が前記シリンダ外に延出されたピストンロッドと、前記シリンダの２室間を連通する連通路と、この連通路を開閉する弁体と、この弁体に一端が当接し他端がピストンロッドの外部まで延出されたプッシュロッドとを備え、前記プッシュロッドを外部から操作して前記連通路を開閉して、前記ピストンロッドのシリンダに対する長さを任意の長さに調節自在に形成されているベッドにおいて、前記ロック付きガススプリングの弁体が連通路を閉じたロック状態を使用者の手の把握動作により前記プッシュロッドを押し込んで解除する操作手段が設けられているとともに、この操作手段には、前記ロック付きガススプリングのロック状態を解除した際に、前記背ボトムの起倒速度が使用者に安全な速度となるように前記ピストンロッドの動作速度を制御する速度制御手段が設けられており、さらに、前記ロック付きガススプリングの弁体が連通路を閉じたロック状態を解除した際に、前記背ボトムを起こす方向に付勢する付勢手段が設けられているとともに、この付勢手段は、使用者の体重に基づいて付勢力を調節することができるように形成されている点にある。そして、このような構成を採用したことにより、背ボトムの起倒速度を使用者に安全な速度とすることができるとともに、使用者の体重の重い軽いにかかわらず背ボトムの起倒動作を行うことができる。
【００２３】
また、請求項７に係る本発明のベッドの特徴は、ロック付きガススプリングを駆動源とする昇降機構を介してベースフレーム上に昇降自在に形成されているメインフレームと、ロック付きガススプリングを駆動源とする背上げ機構を介してメインフレーム上に起倒自在に配設されている背ボトムとを備えており、前記各ロック付きガススプリングが、内部に少なくとも圧縮ガスが封入されたシリンダと、このシリンダ内に摺動可能に挿嵌され前記シリンダ内を２室に区画するピストンと、一端がピストンに連結され他端が前記シリンダ外に延出されたピストンロッドと、前記シリンダの２室間を連通する連通路と、この連通路を開閉する弁体と、この弁体に一端が当接し他端がピストンロッドの外部まで延出されたプッシュロッドとを備え、前記プッシュロッドを外部から操作して前記連通路を開閉して、前記ピストンロッドのシリンダに対する長さを任意の長さに調節自在に形成されているベッドにおいて、前記昇降機構の駆動源としての前記ロック付きガススプリングの弁体が連通路を閉じたロック状態を使用者の手の把握動作により前記プッシュロッドを押し込んで解除する操作手段が設けられているとともに、この操作手段には、前記ロック付きガススプリングのロック状態を解除した際に、前記メインフレームの昇降速度が使用者に安全な速度となるように前記ピストンロッドの動作速度を制御する速度制御手段が設けられており、さらに、前記ロック付きガススプリングの弁体が連通路を閉じたロック状態を解除した際に、前記ベースフレームを上昇させる方向に付勢する付勢手段が設けられているとともに、この付勢手段は、使用者の体重に基づいて付勢力を調節することができるように形成されており、前記背上げ機構の駆動源としての前記ロック付きガススプリングの弁体が連通路を閉じたロック状態を使用者の手の把握動作により前記プッシュロッドを押し込んで解除する操作手段が設けられているとともに、この操作手段には、前記ロック付きガススプリングのロック状態を解除した際に、前記背ボトムの起倒速度が使用者に安全な速度となるように前記ピストンロッドの動作速度を制御する速度制御手段が設けられており、さらに、前記ロック付きガススプリングの弁体が連通路を閉じたロック状態を解除した際に、前記背ボトムを起こす方向に付勢する付勢手段が設けられているとともに、この付勢手段は、使用者の体重に基づいて付勢力を調節することができるように形成されている点にある。そして、このような構成を採用したことにより、メインフレームの昇降速度および背ボトムの起倒速度を使用者に安全な速度とすることができるとともに、使用者の体重の重い軽いにかかわらずメインフレームの昇降速度および背ボトムの起倒動作を行うことができる。
【００２４】
また、請求項８に係る本発明のベッドの特徴は、請求項１、３、４、６、７のいずれか１項において、前記速度制御手段は、前記プッシュロッドを押し込んだ時に、前記弁体が連通路を閉じた全閉状態から弁体が連通路を開いた全開状態へ至るまでの任意の位置を使用者の体重に基づいて取り得るように、前記プッシュロッドの押込量を調節するように形成されている点にある。そして、このような構成を採用したことにより、特別な構造のロック付きガススプリングを用いずに、市販されているロック付きガススプリングのピストンロッドの動作速度の制御を容易かつ確実に行うことができる。
【発明の効果】
【００２５】
本発明に係るベッドによれば、操作手段を操作するという簡単な操作により、ロック付きガススプリングのロック状態を解除してメインフレームの昇降あるいは背ボトムの起倒を使用者に安全な速度で行うことができるなどの極めて優れた効果を奏する。
【発明を実施するための最良の形態】
【００２６】
以下、本発明を図面に示す実施形態により説明する。
【００２７】
図１から図６は、本発明に係るベッドの実施形態を示すものであり、図１はメインフレームを上昇させた状態における全体構成の要部を示す概略部分分解斜視図、図２はロック付きガススプリングのロック状態における要部を示す断面図、図３は図２のロック付きガススプリングのロック状態を解除した一般的な状態の要部を示す部分断面図、図４は操作手段の要部を示す正面図、図５は昇降用に用いる付勢手段近傍を示す正面図、図６は起倒用に用いる付勢手段近傍を示す正面図である。
【００２８】
本実施形態は、ベースフレームの昇降および背ボトムの起倒の両者を行うことができるとともに、ベースフレームの昇降および背ボトムの起倒のそれぞれの駆動源にロック付きガススプリングを用いたものを例示している。
【００２９】
図１に示すように、本実施形態のベッド１は、ベースフレーム（床部材）２と、昇降機構３を介してベースフレーム２上に昇降自在に配設されたメインフレーム４と、背上げ機構５を介してメインフレーム４上に起倒自在に配設された背ボトム６を具備するボトム７とを有している。
【００３０】
なお、本実施形態のベッド１は、図１の左側が使用者の使用状態における頭部側ＨＳとされ、図１の右側が使用状態における脚部側ＦＳとされている。
【００３１】
すなわち、頭部側ＨＳと脚部側ＦＳとを結ぶ方向がベッド１の前後方向に位置する長手方向とされ、この長手方向に対して直交する方向がベッド１の左右方向に位置する幅方向とされている。
【００３２】
また、ボトム７上には、図示しないマットレスなどの寝具が載置されるようになっている。
【００３３】
前記ベースフレーム２は、長手方向に沿って延在するように相互に平行に対向配置された長尺の左右１対のベース用サイドメンバ１１と、幅方向に沿って延在するように相互に対向配置された短尺の前後１対のベース用クロスメンバ１２とにより全体として平面ほぼ長方形の枠状に形成されている。また、ベース用サイドメンバ１１とベース用クロスメンバ１２とは、ベース用サイドメンバ１１の端部の下面がベース用クロスメンバ１２の端部の上面にそれぞれの長さ方向が相互に直交するようにして固着されている。このベースフレーム２は、剛性を有する金属により形成されている。また、ベースフレーム２の下面の四隅近傍、本実施形態においてはベース用クロスメンバ１２の下面の両端近傍のそれぞれには、角柱状あるいは円柱状などのベース用脚部１３が設けられている。すなわち、本実施形態のベースフレーム２には、総計４つのベース用脚部１３が配設されている。
【００３４】
なお、ベースフレーム２としては、従来公知の各種のものから選択使用することができる。
【００３５】
前記メインフレーム４は、全体としてほぼ梯子状に形成されたフレーム本体１５と、このフレーム本体１５の頭部側ＨＳおよび脚部側ＦＳのそれぞれに取着された全体として平面ほぼコ字状に形成された延長フレーム１６とにより、全体として平面ほぼ長方形の枠状に形成されている。このメインフレーム４は、剛性を有する金属により形成されている。また、フレーム本体１５の下面の四隅近傍のそれぞれには、角筒状あるいは平板状に形成されたメイン用連結部１７がその先端を下方に向けて突出するように固着されている。すなわち、本実施形態のメインフレーム４には、総計４つのメイン用連結部１７が配設されている。また、メインフレーム４の長手方向の寸法は、ベースフレーム２の長手方向の寸法より長く形成されており、メインフレーム４の幅寸法は、ベースフレーム２の幅寸法より短く形成されている。なお、延長フレーム１６は、使用する時にフレーム本体１５に取り付け、非使用時などの解体時には取り外すことができるようになっている。
【００３６】
なお、メインフレーム４としては、従来公知の各種のものから選択使用することができる。
【００３７】
前記ボトム７は、全体として長手方向が長い平面ほぼ長方形の枠状に形成されており、頭部側ＨＳから脚部側ＦＳに向かって、背ボトム６、腰ボトム８および脚ボトム９がこの順に配置されている。そして、腰ボトム８は、頭部側ＨＳと脚部側ＦＳとの両端部がメインフレーム４に固定具で固定されており、腰ボトム８の頭部側ＨＳの端部には、背ボトム用回転軸１９が幅方向に沿って配設されており、この背ボトム用回転軸１９に対して背ボトム６の脚部側ＦＳが回動自在に取着されている。
【００３８】
すなわち、背ボトム６の脚部側ＦＳの端部が、背ボトム用回転軸１９を中心として腰ボトム８の頭部側ＨＳの端部に起倒自在に取着されている。
【００３９】
なお、背ボトム６の背面に受け（支援）ボトムを設ける構成とすることで、背ボトム６を起こした際に、使用者が楽に座った姿勢を保持するようにしてもよい。この場合の背ボトム６および受けボトムの構成については、特願２００４−１７０１７４に記載したような構造のものを例示できる。
【００４０】
前記昇降機構３は、各ベース用サイドメンバ１１の上面の両端近傍に固着された総計４つの案内レール２１を有している。これらの案内レール２１は、断面コ字状に形成されており、それぞれの長手方向をベースフレーム２の長さ方向に沿って配置されている。また、一方のベース用サイドメンバ１１に固着された２つの案内レール２１と、他方のベース用サイドメンバ１１に固着された２つの案内レール２１とはそれぞれの長さ方向に沿って形成されている開口を相互に対向するように配置されている。すなわち、４つの案内レール２１は、それぞれの開口を内側に向けて配置されている。そして、各案内レール２１の開口内には、それぞれベースローラ２２が長さ方向に沿って往復移動自在に配置されている（１つのみ図示）。これらのベースローラ２２は、それぞれ角筒状あるいは平板状に形成された昇降用駆動アーム２３の図１の下方に示す一端部側の案内レール側に位置する外側面にピンあるいは通しボルトなどにより回動自在に取着されている。また、各昇降用駆動アーム２３の図１の上方に示す他端には、メインフレーム４のメイン用連結部１７が、通しボルトあるいはピンなどにより回動自在に取着されている。なお、案内レール２１を各ベース用サイドメンバ１１の相互に対向する内側の面に配設してもよい。この場合、案内レール２１の上面を、ベース用サイドメンバ１１の上面より上方に配置したり、面一としたり、下方に配置したりすることができる。
【００４１】
前記各昇降用駆動アーム２３の案内レール２１側に位置する外側面の長さ方向のほぼ中央部分には、それぞれ平板状の支持アーム２５の一端側がピンあるいは通しボルトなどのにより回動自在に取着されている。これらの支持アーム２５は、その両端が平行となるように中央部分が折り曲げられている。そして、各支持アーム２５の他端側の外側面には、円柱状の支点軸２６の一端が傘型固定具あるいはピンあるいは通しボルトなどによりその軸方向を支持アーム２５の厚さ方向に対して平行に延在するようにして回動自在に取着されている。また、支点軸２６は、その軸方向をベース用サイドメンバ１１の長手方向に対して直交する方向に向けて胴部がベース用サイドメンバ１１の上面に溶接などにより固着されている。すなわち、支点軸２６のベース用サイドメンバ１１の内側に突出する一端に、支持アーム２５の他端側が回動自在に取着されている。
【００４２】
前記４つの昇降用駆動アーム２３のうちの幅方向に沿って対向する２つの昇降用駆動アーム２３は、幅方向に沿って延在する昇降用回転駆動軸２７により連結されている。
【００４３】
すなわち、昇降用回転駆動軸２７の両端に、幅方向に沿って対向する２つの昇降用駆動アーム２３の中央部よりベースローラ２２の配設位置とは反対側の他端寄りの部分が挿通されて固着されている。
【００４４】
したがって、頭部側ＨＳに配置されている２つの昇降用駆動アーム２３が頭部側ＨＳに配置された昇降用回転駆動軸２７により連結されており、脚部側ＦＳに配置されている２つの昇降用駆動アーム２３が脚部側ＦＳに配置されている昇降用回転駆動軸２７により連結されている。
【００４５】
また、頭部側ＨＳに配置された昇降用回転駆動軸２７と、脚部側ＦＳに配置された昇降用回転駆動軸２７とは、相互に平行に配置されている。さらに、各昇降用駆動アーム２３は、昇降用回転駆動軸２７の回動にともなって、昇降用回転駆動軸２７と同一方向に回動するように形成されている。
【００４６】
前記各昇降用回転駆動軸２７の長手方向の中央部付近には、それぞれ平板状に形成された２枚のリンク板２８の中央部分が所定の間隔をおいて固着されている。そして、リンク板２８と昇降用駆動アーム２３とは、昇降用回転駆動軸２７に対する取付角度が異なるように配置されている。
【００４７】
例えば、図１に示すように、リンク板２８の長さ方向が回転中心を含む仮想水平面に対して垂直となった場合、昇降用駆動アーム２３は、メインフレーム４のメイン用連結部１７に連結される昇降用駆動アーム２３の端部を脚部側ＦＳ方向に向かって仮想水平面に対して４０度程度の上方傾斜するように配置されている。
【００４８】
前記２枚のリンク板２８の内側の図１の上方には、上部が開口のコ字状に形成された連結用ブラケット２９が２枚のリンク板２８のそれぞれを板厚方向に貫通する通しボルトあるいはピンなどの上取付部材３０により回動自在に取着されており、連結用ブラケット２９の下面には、長尺の上部連結棒３１の端部側の上面が溶接などにより固着されている。なお、連結用ブラケット２９は、昇降用回転駆動軸２７が回動した際に、上部連結棒３１が昇降用回転駆動軸２７と干渉しないように配設されている。また、２枚のリンク板２８の下部の一方の外側面には、２枚のリンク板２８のそれぞれを板厚方向に貫通する通しボルトあるいはピンなどの下取付部材３２により回動自在に取着されている。
【００４９】
前記両下取付部材３２の図１の手前に示す一端には、下部連結棒３３の端部が回動自在に取着されている。すなわち、下部連結棒３３の両端は、頭部側ＨＳに配置された２枚のリンク板２８および脚部側ＦＳに配置された２枚のリンク板２８のうちのそれぞれの図１の手前に示すリンク板２８の下部の外側面と対向するように配置されている。
【００５０】
したがって、頭部側ＨＳに位置する２枚のリンク板２８と脚部側ＦＳに位置する２枚のリンク板２８とは、相互に平行に延在するように配置されているとともに、これらの頭部側ＨＳに位置する２枚のリンク板２８と脚部側ＦＳに位置する２枚のリンク板２８とは、相互に平行に延在する上部連結棒３１と下部連結棒３３とにより連結されており、全体として平行四辺形をなす四節機構を構成するようになっている。その結果、昇降用回転駆動軸２７を図１の矢印Ａ方向から見て反時計方向へ回転させることで、ベースフレーム２に対してメインフレーム４を上昇させ、昇降用回転駆動軸２７を図１の矢印Ａ方向から見て時計方向へ回転させることで、ベースフレーム２に対してメインフレーム４を下降させることができるようになっている。
【００５１】
なお、昇降機構３によるメインフレーム４の昇降としては、メインフレーム４の最大高さを床から６０ｃｍ程度とし、最低高さを床から２５ｃｍ程度とすることが好ましい。
【００５２】
また、昇降機構３としては、パンタグラフ式などの平行移動自在な従来公知の各種のものから選択使用することができる。
【００５３】
前記上部連結棒３１の下面の脚部側ＦＳには、昇降機構３の駆動源としての昇降用に用いるロック付きガススプリング３５Ａが長さ方向に沿って配設されており、上部連結棒３１の下面の頭部側ＨＳには、ベースフレーム２を上昇させる方向に付勢する昇降用の付勢手段としての引張りコイルばね３６が長さ方向に沿って配設されている。
【００５４】
前記昇降用に用いるロック付きガススプリング３５Ａは、後述するシリンダ４１からピストンロッド４２が伸長した状態において各リンク板２８がその長手方向を上下方向に向けてメインフレーム４を上昇させた状態とし、ピストンロッド４２が縮小した状態において各リンク板２８を昇降用回転駆動軸２７を中心として図１の矢印Ａ方向から見て時計方向へ回動させてメインフレーム４を下降させた状態とすることができるようになっている。
【００５５】
なお、昇降用に用いるロック付きガススプリング３５Ａと、後述する背上げ用に用いるロック付きガススプリング３５Ｂとは同一構造のものである。
【００５６】
図２に示すように、ロック付きガススプリング３５（符号３５は、昇降用に用いるロック付きガススプリング３５Ａおよび背上げ用に用いるロック付きガススプリング３５Ｂを総称する。）は、有蓋筒状のシリンダ４１内にピストン４３が摺動可能に嵌装されており、ピストン４３によってシリンダ４１内がシリンダ上室４１ａとシリンダ下室４１ｂの２室に区画されている。
【００５７】
前記ピストン４３には、ピストンロッド４２の一端側が連結されており、ピストンロッド４２の他端側は、シリンダ４１の開口部に設けられた下部シール部材４４およびロッドガイド４５に挿通されてシリンダ４１の外部に延出されている。そして、シリンダ４１内には、圧縮ガスＧおよび作動油Ｌが封入されている。また、シリンダ上室４１ａの内部には、フリーピストン４６が摺動自在に嵌装されており、このフリーピストン４６により作動油Ｌを加圧し、この作動油Ｌを介して圧縮ガスＧによるガス反力をピストンロッド４２に伝達することができるようになっている。なお、ロック付きガススプリング３５としては、フリーピストン４６を設けないものであってもよい。
【００５８】
前記ピストン４３には、シリンダ上室４１ａとシリンダ下室４１ｂとを連通させる連通路４７が設けられている。この連通路４７は、ピストン４３の軸方向に沿って設けられた弁孔４７ａと、ピストン４３のほぼ径方向に沿って設けられたオリフィス４７ｂとからなり、弁孔４７ａには、スペーサ４８が設けられ、このスペーサ４８内には、長手方向の中間部に小径部４９ａが形成された棒状の弁体４９の一端側の大径部が摺動可能に嵌装されている。この弁体４９の大径部と弁孔４７ａとの間には作動油Ｌが流動し得る程度の隙間が形成されており、弁孔４７ａのシリンダ上室４１ａよりには、この隙間をシールする隙間用シール部材５０が配設されている。また、弁体４９の他端側は、ピストンロッド４２の軸心に沿って設けられたロッド孔４２ａに挿通されており、弁孔４７ａのシリンダ下室４１ｂよりには、シリンダ４１内の作動油Ｌがロッド孔４２ａから外部へ漏れないようにするロッド用シール部材５１が設けられている。なお、スペーサ４８は弁体４９を軸方向に摺動自在に支持するものである。
【００５９】
前記弁体４９の一端部には、弁体４９のシリンダ４１の開口部側（図２において下方）への移動を規制するストッパ５２が設けられている。また、ピストンロッド４２のロッド孔４２ａには、一端が弁体４９に当接し他端がピストンロッド４２の外部まで延出されたプッシュロッド５３が摺動可能に挿入されている。そして、通常、シリンダ４１内の圧縮ガスＧの圧力により、図２に示すように弁体４９がシリンダ４１の開口部側に移動されいるため、弁孔４７ａと弁体４９の大径部との間の隙間が隙間用シール部材５０によってシールされて連通路４７が遮断された状態となっており、プッシュロッド５３を外部から押し込むように押圧して弁体４９をシリンダ４１の底部側に移動させると、図３に示すように、小径部４９ａがシリンダ上室４１ａ内に露出して隙間用シール部材５０を跨ぐことにより連通路４７が連通されるようになっている。この時のプッシュロッド５３の押込量は、一般的には５〜６ｍｍ程度とされている。なお、ピストンロッド４２の位一端を弁体４９に接続したり連結したりする構成としてもよい。
【００６０】
前記シリンダ４１の図２の上方に示す底部の外面には、円筒状に形成されたシリンダ側取付部５４がその内孔をシリンダ４１の軸方向に対して直交する方向に向けて配設されている。このシリンダ側取付部５４の内孔は、上部連結棒３１の下面の長さ方向の中央部より少し頭部側ＨＳに寄った位置に固着された前固定ブララケット５５にピンあるいは通しボルトにより回動自在に取着されている（図１）。
【００６１】
前記ピストンロッド４２の先端側の外周面には、取付ねじ部５６が形成されており、この取付ねじ部５６には、ロック付きガススプリング３５の弁体４９が連通路４７を閉じたロック状態を使用者の手の把握動作によりプッシュロッド５３を押し込んで解除するための操作手段６０（符号６０は、昇降用に用いる操作手段６０Ａと、後述する背上げ用に用いる操作手段６０Ｂとを総称する。）が取着されている。
【００６２】
図４に示すように、操作手段６０は、ロッド側ブラケット６１を有している。このロッド側ブラケット６１は、ピストンロッド４２の取付ねじ部５６に螺着される取付基体部６２と、この取付基体部６２の右側に配設された支持フレーム６３と、この支持フレーム６３の右側に配設されたアーム取付部６４とを有している。そして、支持フレーム６３の図４の上方に示す上端側には、カバー端取付部材６５がねじ止めされている。また、アーム取付部６４は、図４の右側に示す先端側が開口とされた平面逆コ字状に形成されており、アーム取付部６４の内部には、ロッド作動アーム６６が配設されている。このロッド作動アーム６６の図４の下方に示す基端部は、アーム取付部６４の相互に対向する対向面間を接続するようにして図４の下部に配設された作動アーム支持軸６７に回動自在に取着されており、ロッド作動アーム６６の図４の上方に示す上端（自由端）は、アーム取付部６４の上端より図４の上方に突出するように配置されている。また、ロッド作動アーム６６の基端部近傍の図４の左端面には、ロック付きガススプリング３５のプッシュロッド５３の先端が対向あるいは当接されており、作動アーム支持軸６７を中心としてロッド作動アーム６６を図４の反時計方向へ回転させることにより、プッシュロッド５３の先端を予め設定された押込量だけ押し込んでロック付きガススプリング３５のロック状態を解除することができるようになっている。
【００６３】
前記アーム取付部６４の右端側には、厚さ方向（図４の紙面垂直方向）に貫通する取付用貫通孔６８が形成されており、この取付用貫通孔６８は、昇降用に用いるロック付きガススプリング３５Ａの場合には、脚部側ＦＳに位置する２枚のリンク板２８の下部に配置されている下取付部材３２の２枚のリンク板２８の内側において回動自在に取着されている。また、背上げ用に用いるロック付きガススプリング３５Ｂの場合には、取付用貫通孔６８は後述するメイン固定ブララケット９６に回動自在に取着されている。
【００６４】
前記ロッド作動アーム６６の上端側には、図４の左右方向に延在するアーム挿通孔６９が形成されており、このアーム挿通孔６９には、寸切ボルトなどと称される全外周面に雄ねじが形成された棒状のボルト部材７０の胴部がその軸方向を図４の左右方向にして移動自在に挿入されている。そして、ロッド作動アーム６６の図４の左右両側をボルト部材７０に螺着された２つのナット７１、７２により挟持することで、ロッド作動アーム６６の上端部分がボルト部材７０に位置決めされて取着されている。
【００６５】
したがって、ボルト部材７０の軸方向に対するロッド作動アーム６６の取付位置は、２つのナット７１、７２を操作することにより変更（調節）することができることができるようになっている。
【００６６】
例えば、図４に示すロッド作動アーム６６の上端部分の取付位置をボルト部材７０の軸方向の左側に移動する場合には、図４の左側に位置するナット７１を緩めて左側に移動し、その後、図４の右側に位置するナット７２を左側に移動させる。これにより、右側のナット７１がロッド作動アーム６６の上端部分が左側に移動される。そして、所定位置に移動した後に、左側のナット７１と右側のナット７１によりロッド作動アーム６６を挟持させた状態とすることで、移動後の位置が固定されることになる。また、ロッド作動アーム６６の上端部分の取付位置をボルト部材７０の軸方向の右側に移動する場合には、逆の手順にて容易に行うことができる。
【００６７】
なお、ナット７１、７２としては、人手による操作が容易な蝶ナットを用いてもよい。
【００６８】
前記ボルト部材７０の左端面には、ワイヤ７３の一端が固着されている。このワイヤ７３の他端は、人手により操作される操作レバー７４の基端部に接続されている。また、操作レバー７４の基端部は、図４の上下方向に延在する取付ステー７５の下部に回動自在に取着されている。この取付ステー７５は、その長手方向が操作レバー７４の長手方向に対してほぼ直交する図４の上下方向に沿って延在するように配置されており、取付ステー７５の図４の下端側に操作レバー７４の基端部が配置されている。
【００６９】
前記操作レバー７４の図４の上方には、ほぼ棒状に形成されたグリップ７６が操作レバー７４に対して常にはほぼ平行に延在するように配置されており、このグリップ７６の図４の左端は、取付ステー７５の上端側に取着されている。そして、操作レバー７４の右端である自由端が、グリップ７６の右端である自由端に対して接離自在に形成されている。また、ワイヤ７３の取付ステー７５からカバー端取付部材６５との間における外周部分には、可撓性を有するチューブ状のワイヤカバー７７が配置されている。すなわち、ワイヤカバー７７の内部をワイヤ７３が移動できるように形成されている。
【００７０】
したがって、本実施形態の操作手段６０は、自転車における後輪のブレーキを操作するハンドルのブレーキレバーの如く、使用者がグリップ７６と操作レバー７４の両者を手でつかんでから把握することにより、図４の２点鎖線にて示すように、操作レバー７４の自由端側がグリップ７６の自由端に当接する。これにより、ワイヤ７３が操作レバー７４側に引かれ、ワイヤ７３に接続されたボルト部材７０が図４の左方に移動する。そして、ボルト部材７０の左方への移動にともなってロッド作動アーム６６が作動アーム支持軸６７を中心として図４の反時計方向へ回転し、ロッド作動アーム６６の上端が図４の２点鎖線にて誇張して示すように左側に移動し、プッシュロッド５３が予め設定されている所定量の分だけ押し込まれるようになっている。
【００７１】
すなわち、操作手段６０は、力の弱い使用者であっても、その手の把握動作により、ロック付きガススプリング３５の弁体４９が連通路４７を閉じたロック状態をプッシュロッド５３を押し込んで解除することができるようになっている。
【００７２】
また、ボルト部材７０の軸方向に対するロッド作動アーム６６の上端部分の取付位置を調節することにより、作動アーム支持軸６７を中心とするロッド作動アーム６６の回転角度そのものの絶対量はかえずに、初期位置および移動後の位置をかえる、すなわち、プッシュロッド５３の押込量を調節することができるように形成されている。
【００７３】
また、ロック付きガススプリング３５は、プッシュロッド５３を押し込んだ時に、押込量の増加にともなって連通路４７の流路面積が漸増するので、連通路４７の流路面積をプッシュロッド５３の押込量により制御することができる。
【００７４】
そこで、本実施形態においては、操作手段６０の操作レバー７４の自由端側がグリップ７６の自由端に当接するように把握したときに、プッシュロッド５３の押込量を通常設定されている５〜６ｍｍ程度のストロークより少なくなるように調節することで、連通路４７の流路面積を全開時より少なくしてピストンロッド４２の動作速度を遅くすることができるとともに、使用者の体重に基づいて、つまり、体重の重い人の場合には連通路４７の流路面積を大きくし、体重の軽い人の場合には連通路４７の流路面積を小さくすることで、体重の重いひとでも、体重の軽い人でも、メインフレーム４の昇降速度あるいは背ボトム６の起倒速度が毎秒３〜６ｍｍ程度の使用者に安全な速度を取り得るように調節することができるように形成されている。このような構成により、本実施形態の速度制御手段７８（符号７８は、メインフレーム４の昇降速度の制御に用いる速度制御手段７８Ａと、後述する背ボトム６の起倒速度の制御に用いる速度制御手段７８Ｂとを総称する。）が構成されている。
【００７５】
このことは、一般的なロック付きガススプリングにおいて、プッシュロッドを深く押し込むとピストンロッドの動作速度が速くなり、プッシュロッドを浅く押し込むとピストンロッドの動作速度が遅くなるということを見出して得たものである。
【００７６】
したがって、本実施形態の速度制御手段７８は、プッシュロッド５３を押し込んだ時に、弁体４９が連通路４７を閉じた全閉状態から弁体４９が連通路４７を開いた全開状態へ至るまでの任意の位置を使用者の体重に基づいて取り得るように、プッシュロッド５３の押込量を調節するように構成されている。
【００７７】
図５に示すように、昇降用の付勢手段としての引張りコイルばね３６は、図５の左右方向に示す長手方向の両端にフック３６ａ、３６ｂが形成されている。そして、引張りコイルばね３６の右側のフック３６ａは、棒状に形成された脚部側連結部材８１の左端に形成された取付孔８１ａに着脱自在に取着されており、引張りコイルばね３６の左側のフック８１ｂは、頭部側連結部材８２の右端に形成された取付孔８２ａに着脱自在に取着されている。
【００７８】
前記脚部側連結部材８１は、全外周面に雄ねじが形成された棒状に形成されており、その左端部には、平板状のばね取付部８１ｂが形成されており、このばね取付部８１ｂに、引張りコイルばね３６の右側のフック３６ａが着脱自在に取着される取付孔８１ａが厚さ方向に貫通するように形成されている。また、脚部側連結部材８１の右端部は、後固定ブラケット８４に取着されている。この後固定ブラケット８４は、図１に示すように、上部連結棒３１の下面の長さ方向の中央部より少し脚部側ＦＳに寄った位置に固着されている。
【００７９】
なお、引張りコイルばね３６の径方向外側にチューブ状の安全保護カバーを配設してもよい。
【００８０】
図５に戻って、後固定ブラケット８４は、例えば、上部連結棒３１の下面に固着される水平板部８４ａと、この水平板部８４ａの脚部側ＦＳの端縁から下方に向かって直角に延出された垂直板部８４ｂとにより全体として倒立Ｌ字状に形成されている。そして、垂直板部８４ｂの下部近傍には、図５の左右方向に示す厚さ方向に貫通する抜き孔８４ｃが形成されている。この抜き孔８４ｃの直径は、脚部側連結部材８１の直径より大きく形成されており、この抜き孔８４ｃの内部には、脚部側連結部材８１の胴部がその軸方向を図５の左右方向にして移動自在に挿入されている。そして、後固定ブラケット８４の垂直板部８４ｂの左右両側を脚部側連結部材８１の外周に螺着された２つのナット８５、８６により挟持することで、脚部側連結部材８１が後固定ブラケット８４に位置決めされて取着されている。
【００８１】
したがって、後固定ブラケット８４の垂直板部８４ｂに対する脚部側連結部材８１の軸方向の取付位置は、２つのナット８５、８６を操作することにより変更（調節）することができることができるようになっている。
【００８２】
例えば、後固定ブラケット８４に対する脚部側連結部材８１の取付位置を右側に移動する場合には、図５の左側に位置するナット８６を回して左側に移動し、その後、図５の右側に位置するナット８５を回して左側に移動させる。これにより、脚部側連結部材８１が右側に移動される。そして、所定位置に移動した後に、左側のナット８６と右側のナット８５により垂直板部８４ｂを挟持させた状態とすることで、移動後の位置が固定されることになる。また、脚部側連結部材８１の取付位置を左側に移動させる場合には、逆の手順にて容易に行うことができる。
【００８３】
このように、後固定ブラケット８４の垂直板部８４ｂに対する脚部側連結部材８１の軸方向の取付位置を移動させることで、引張りコイルばね３６を伸縮させる調節を行うことができるようになっている。
【００８４】
なお、ナット８５、８６としては、人手による操作が容易な蝶ナットを用いてもよい。
【００８５】
また、脚部側連結部材８１として、市販されている両端に右ねじと左ねじのフック付きの継手を具備するターンバックルを用いてもよい。この場合、ターンバックルの一方のフックを引張りコイルばね３６の右側のフック３６ａに取着し、ターンバックルの他方のフックを後固定ブラケット８４の垂直板部８４ｂの抜き孔８４ｃに取着する構成とするとよい。そして、ターンバックルを一方の方向に回転させることで引張りコイルばね３６の右側のフックの位置を右側に移動させることができ、また、ターンバックルを逆方向に回転させることで引張りコイルばね３６の右側のフックの位置を左側に移動させることができる。すなわち、ターンバックルを手の操作により回動させることで引張りコイルばね３６を伸縮させることが容易にできる。
【００８６】
前記頭部側連結部材８２は、頭部側ＨＳに配置された棒状部８２ｂを有しており、この棒状部８２ｂの右端部には、平板状のばね取付部８２ｃが形成されており、このばね取付部８２ｃに、引張りコイルばね３６の左側のフック３６ｂが着脱自在に取着される取付孔８２ａが厚さ方向に貫通するように形成されている。また、棒状部８２ｂの左端部は、ほぼ直方体状に形成されたブロック体８２ｄの右端面の中央部分に接続されている。そして、ブロック体８２ｄには、棒状部８２ｂの長さ方向に対して直交する方向（図５の紙面垂直方向）の２面の中心部を貫くように貫通する取付孔８２ｅが形成されている。この取付孔８２ｅは、脚部側ＦＳに位置する２枚のリンク板２８の下部に配置されている下取付部材３２の２枚のリンク板２８の内側において回動自在に取着されている。
【００８７】
したがって、脚部側連結部材８１の後固定ブラケット８４、詳しくは垂直板部８４ｂへの取付位置を右側に移動させることで引張りコイルばね３６を伸長させ、脚部側ＦＳに移動させることで引張りコイルばね３６を縮小させることができるようになっている。
【００８８】
すなわち、後固定ブラケット８４に対する脚部側連結部材８１の取付位置を図５の右方に示す脚部側ＦＳに変更（移動）することで引張りコイルばね３６の力を大きくし、図５の左方に示す頭部側ＨＳに変更（移動）することで、引張りコイルばね３６の力を弱く設定ことができるように形成されている。
【００８９】
したがって、後固定ブラケット８４に対する脚部側連結部材８１の取付位置を長手方向に沿って移動させることで、ベースフレーム２を上昇させる方向に付勢する付勢力を調節することができるようになっている。
【００９０】
なお、引張りコイルばね３６の力は、昇降用に用いるロック付きガススプリング３５Ａのロック状態においては発揮されず、昇降用に用いるロック付きガススプリング３５Ａのロック状態を解除した際に、発揮されて昇降機構３を作動させることができるように形成されている。
【００９１】
また、本実施形態の引張りコイルばね３６は、昇降機構３によりベースフレーム２が下降した下降状態において伸長され、昇降用に用いるロック付きガススプリング３５Ａのロック状態において脚部側ＦＳに位置する２枚のリンク板２８を昇降用回転駆動軸２７を中心として図１の矢印Ａ方向から見て反時計方向へ回転するように付勢することができるようになっている。
【００９２】
また、昇降機構３によりメインフレーム４を上昇させた上昇状態においては、引張りコイルばね３６が縮小するように形成されている。
【００９３】
よって、引張りコイルばね３６の力（ばね力）による付勢力は、昇降機構３によりベースフレーム２が下降した下降状態において設定するようになっている。
【００９４】
なお、頭部側連結部材８２を用いずに、引張りコイルばね３６の左側のフック３６ｂを頭部側ＨＳに位置する２枚のリンク板２８の下部に配置されている下取付部材３２に取着するようにしてもよい。
【００９５】
前記引張りコイルばね３６の上方に位置する上部連結棒３１の下面には、引張りコイルばね３６を伸縮させることにより、引張りコイルばね３６によるベースフレーム２を上昇させる方向に付勢する付勢力を調節する際に用いる目盛板８８が配設されている。この目盛板８８には、長手方向に沿って複数、本実施形態においては５本の直線状の目盛８８ａが所定の間隔で配置されており、これらの目盛８８ａには、引張りコイルばね３６によるベースフレーム２を上昇させる方向に付勢する付勢力をあらわす１から５の数値が付されている。
【００９６】
前記目盛８８ａとしては、例えば、引張りコイルばね３６による付勢力が４９Ｎ（５ｋｇｆ）刻みとなるように設けられているものを挙げることができる。勿論、目盛８８ａの間隔や数などは、設計コンセプトなどの必要に応じて設定すればよい。
【００９７】
なお、引張りコイルばね３６による付勢力の設定としては、例えば、体重が４５ｋｇ程度の人の場合には引張りコイルばね３６による力が４９Ｎ（５ｋｇｆ）程度となる位置をあらわす２の添え字が付与された目盛の直下に脚部側連結部材８１の左端部が位置するように２つのナット８５、８６を操作して脚部側連結部材８１の軸方向に対する後固定ブラケット８４への取付位置が調節されるようになっている。また、体重が６５ｋｇの人の場合には引張りコイルばね３６による力が１４７Ｎ（１５ｋｇｆ）程度となる位置をあらわす４の添え字が付与された目盛の直下に脚部側連結部材８１の左端部が位置するように２つのナット８５、８６を操作して脚部側連結部材８１の軸方向に対する後固定ブラケット８４への取付位置が調節されるようになっている。
【００９８】
すなわち、昇降用の付勢手段としての引張りコイルばね３６は、使用者の体重に基づいて、つまり、体重の重い人の場合には、引張りコイルばね３６を伸長させることでばね力を強くしてメインフレーム４を上昇させる方向に付勢する付勢力を強くし、体重の軽い人の場合には引張りコイルばね３６を縮小させることでばね力を弱くしてメインフレーム４を上昇させる方向に付勢する付勢力を弱くすることで、体重の重いひとでも、体重の軽い人でも、メインフレーム４を上昇させる方向に付勢する付勢力を一律に制御することができる。
【００９９】
なお、昇降用の付勢手段としては、メインフレーム４を上昇させる方向に付勢するものであればよく、例えば、ベースフレーム２とメインフレーム４との対向面間を接続するように軸方向を垂直にして配置された圧縮コイルばねを挙げることができる。この場合、圧縮コイルばねは、メインフレーム４を下方から４点支持するように配置するとよい。
【０１００】
前記背上げ機構５は、背ボトム６を起倒させるためのものであり、図１に示すように、メインフレーム４の長手方向の中央部より頭部側ＨＳの下方において、メインフレーム４の幅方向に沿って平行に延在する背上げ用回転軸９１を有している。この背上げ用回転軸９１は、メインフレーム４の下面に幅方向に沿って相互に対向するように固着された１対の側固定ブラケット９２により回動自在に取着されている。また、背上げ用回転軸９１の端部は、側固定ブラケット９２より幅方向の外側に突出されており、先端部分には、背上げ用駆動アーム９３の基端部が固着されている。これらの背上げ用駆動アーム９３は、メインフレーム４の長手方向に沿って頭部側ＨＳに向かって延出されており、頭部側ＨＳに位置する自由端部側のメインフレーム４と対向する側面には、アームローラ９４がそれぞれ回転自在に取着されている。そして、両アームローラ９４の上方には背ボトム６の幅方向の両端が配置されており、背上げ用駆動アーム９３を図１の矢印Ａ方向から見て時計方向へ回転させて図１の実線にてに示すようにほぼ垂直状態とすることにより、背ボトム６を起こすことができ、背上げ用駆動アーム９３を図１の矢印Ａ方向から見て反時計方向へ回転させて図１の２点鎖線にて示すほぼ水平状態とすることで背ボトム６を倒すことができるようになっている。
【０１０１】
なお、背ボトム６の角度範囲（起倒範囲）としては、０（水平状態）から７５度の範囲とすることが好ましい。
【０１０２】
また、背上げ機構５としては、従来公知の各種のものから選択使用することができる。
【０１０３】
前記メインフレーム４には、背上げ機構５を駆動させるための駆動源としての背上げ用に用いるロック付きガススプリング３５Ｂがその長手方向をベッド１の長手方向と平行にして配設されている。この背上げ用に用いるロック付きガススプリング３５Ｂは、昇降用に用いるロック付きガススプリング３５Ａと同様に構成されており、操作手段６０および速度制御手段７８を有している。そして、背上げ用に用いるロック付きガススプリング３５Ｂのシリンダ側取付部５４の内孔は、図１に示すようにメインフレーム４の長手方向の中央部より少し脚部側ＦＳに寄った位置に固着されたメイン固定ブララケット９６にピンあるいは通しボルトにより回動自在に取着されている。なお、背上げ用に用いるロック付きガススプリング３５Ｂは、そのガス反力が昇降用に用いるロック付きガススプリング３５Ａより小さく設定されている。
【０１０４】
前記ロッド側ブラケット６１のアーム取付部６４の先端側に配設された取付用貫通孔６８は、背上げ用回転軸９１の長手方向の中央部分に基端部が固着された取付アーム９７の先端部分に通しボルトあるいはピンにより回動自在に取着されている。なお、図１においては、ロッド側ブラケット６１のアーム取付部６４に対する取付アーム９７の取付状態を省略して示してある。そして、背上げ用に用いるロック付きガススプリング３５Ｂのピストンロッド４２を伸長させることで背上げ用回転軸９１を図１の矢印Ａ方向から見て時計方向へ回転させて背ボトム６を起こすことができきるようになっている。また、背上げ用に用いるロック付きガススプリング３５Ｂのピストンロッド４２を縮小させることで背上げ用回転軸９１を図１の矢印Ａ方向から見て反時計方向へ回転させて背ボトム６を倒すことができるようになっている。
【０１０５】
前記背上げ用に用いるロック付きガススプリング３５Ｂの操作手段６０Ｂは、背ボトム６を起倒するために用いられ、速度制御手段７８は、背ボトム６の起倒速度が使用者に安全な速度となるようにピストンロッド４２の動作速度を制御するために用いられている。
【０１０６】
前記取付アーム９７の頭部側ＨＳには、背ボトム６を上昇させる方向に付勢する起倒用の付勢手段としての引張りコイルばね９８が長さ方向に沿って配設されている。
【０１０７】
図６に示すように、本実施形態における起倒用の付勢手段としての引張りコイルばね９８は、昇降用の付勢手段としての引張りコイルばね３６と同様に、図６の左右方向に示す長手方向の両端にフック９８ａ、９８ｂが形成されている。そして、引張りコイルばね９８の右側のフック９８ａは、取付アーム９７の頭部側ＨＳに形成された取付孔９７ａに着脱自在に取着されており、引張りコイルばね９８の左側のフック９８ｂは、連結部材１００の右端に形成された取付孔１００ａに着脱自在に取着されている。なお、引張りコイルばね９８の右側のフック９８ａを起倒用に用いる操作手段６０Ｂのアーム取付部６４に着脱自在に取着するようにしてもよい。また、引張りコイルばね９８の径方向外側にチューブ状の安全保護カバーを配設してもよい。
【０１０８】
前記連結部材１００は、全外周面に雄ねじが形成された棒状に形成されており、前ブラケット１０１に取着されている。この前ブラケット１０１は、メインフレーム４の頭部側ＨＳに配置されている延長フレーム１６における頭部側ＨＳより少し脚部側ＦＳに寄った位置において幅方向に延在するように配置されている棒状の中間連結部材１８（図１）の長手方向のほぼ中央部分の下部に固着されている。この前ブラケット１０１の下部近傍には、図６の左右方向に示す厚さ方向に貫通する抜き孔１０１ａが形成されている。この抜き孔１０１ａの直径は、連結部材１００の直径より大きく形成されており、この抜き孔１０１ａの内部には、連結部材１００の胴部がその軸方向を図６の左右方向にして移動自在に挿入されている。そして、前ブラケット１０１の図６の左右方向に示す左右両側を連結部材１００の外周に螺着された２つのナット１０２、１０３により挟持することで、連結部材１００が前ブラケット１０１に位置決めされて取着されている。
【０１０９】
したがって、前ブラケット１０１の垂直板部１０１ｂに対する連結部材１００の軸方向の取付位置は、２つのナット１０２、１０３を操作することにより変更（調節）することができることができるようになっている。
【０１１０】
例えば、前定ブラケット１０１に対する頭部側連結部材１００の取付位置を右側に移動する場合には、図６の右側に位置するナット１０３を回して右側に移動し、その後、図６の左側に位置するナット８１０２を回して右側に移動させることにより実行することができる。また、頭部側連結部材１００の取付位置を左側に移動させる場合には、逆の手順にて容易に行うことができる。
【０１１１】
このように、前定ブラケット１０１に対する頭部側連結部材１００の軸方向の取付位置を移動させることで、引張りコイルばね９８を伸縮させる調節を行うことができるようになっている。
【０１１２】
なお、ナット１０２、１０３としては、人手による操作が容易な蝶ナットを用いてもよい。
【０１１３】
したがって、前ブラケット１０１に対する連結部材１００の取付位置を図６の左方に示す頭部側ＨＳに移動することで引張りコイルばね９８を伸長させて引張りコイルばね９８の力を大きくし、図５の右方に示す脚部側ＦＳに変更（移動）することで、引張りコイルばね９８を縮小させて引張りコイルばね９８の力を弱く設定ことができるように形成されている。
【０１１４】
よって、前ブラケット１０１に対する連結部材１００の取付位置を長手方向に沿って移動させることで、背ボトム６を上昇させる方向に付勢する付勢力を調節することができるようになっている。
【０１１５】
また、連結部材１００として、市販されている両端に右ねじと左ねじのフック付きの継手を具備するターンバックルを用いてもよい。この場合、ターンバックルの一方のフックを引張りコイルばね９８の左側のフック９８ｂに取着し、ターンバックルの他方のフックを中間連結棒１８に取着する構成とするとよい。そして、ターンバックルを一方の方向に回転させることで引張りコイルばね９８の右側のフック９８ａの位置を右側に移動させることができ、また、ターンバックルを逆方向に回転させることで引張りコイルばね９８の右側のフック９８ａの位置を左側に移動させることができる。すなわち、ターンバックルを手の操作により回動させることで引張りコイルばね９８を伸縮させることが容易にできる。
【０１１６】
図６に示すように、連結部材１００の上方に位置するメインフレーム４の下面には、引張りコイルばね９８を伸縮させることにより、引張りコイルばね９８による背ボトム６を起こす方向に付勢する付勢力を調節する際に用いる目盛板１０５が配設されている。この目盛板１０５には、長手方向に沿って複数、本実施形態においては５本の直線状の目盛１０５ａが所定の間隔で配置されており、これらの目盛１０５ａには、引張りコイルばね９８による背ボトム６を上昇させる方向に付勢する付勢力をあらわす１から５の数値が付されている。
【０１１７】
前記目盛１０５ａとしては、例えば、引張りコイルばね９８による付勢力が２９．４Ｎ（３ｋｇｆ）刻みとなるように設けられているものを挙げることができる。勿論、目盛１０５ａの間隔や数などは、設計コンセプトなどの必要に応じて設定すればよい。
【０１１８】
前記引張りコイルばね９８による付勢力の設定としては、例えば、体重が４５ｋｇ程度の人の場合には引張りコイルばね９８による力が２９．４Ｎ（３ｋｇｆ）程度となる位置をあらわす２の添え字が付与された目盛１０５ａの直下に連結部材１００の左端部が位置するように２つのナット１０２、１０３を操作して連結部材１００の軸方向に対する前ブラケット１０１への取付位置が調節されるようになっている。また、体重が６５ｋｇの人の場合には引張りコイルばね９８による力が８８．２Ｎ（９ｋｇｆ）程度となる位置をあらわす４の添え字が付与された目盛の直下に連結部材１００の左端部が位置するように２つのナット１０２、１０３を操作して連結部材１００の軸方向に対する前ブラケット１０１への取付位置が調節されるようになっている。
【０１１９】
なお、起倒用の付勢手段としては、背ボトム６を上昇させる方向に付勢するものであればよい。
【０１２０】
また、本実施形態のベッド１においては、昇降機構３および背上げ機構５のそれぞれの駆動源としてロック付きガススプリング３５を用いたが、昇降機構３および背上げ機構５の少なくとも一方の駆動源がロック付きガススプリング３５であればよい。例えば、昇降機構３および背上げ機構５のうちの一方の駆動源をロック付きガススプリング３５とし、他方の駆動源を他のものとする場合には、他方の駆動源を手動式のジャッキなどのように、安全な動作速度を容易に得ることのできる各種の手動操作により伸縮する各種のものから選択使用することができる。勿論、コストアップを無視すれば、電動、空気圧、油圧などにより出力軸が往復移動するアクチュエータを用いてもよい。
【０１２１】
さらに、昇降用および起倒用の付勢手段は、それぞれ単独で従来の昇降機構および背上げ機構に用いることができる。但し、取り付け方法については、降機構および背上げ機構の構成に応じて決定すればよい。
【０１２２】
その他の構成ついては、従来公知のベッドと同様とされているので、その詳しい説明については省略する。
【０１２３】
つぎに、前述した構成からなる本実施形態の作用について説明する。
【０１２４】
本実施形態のベッド１によれば、昇降機構３によるメインフレーム４の昇降と、背上げ機構５による背ボトム６の起倒とを容易に実施することができる。
【０１２５】
また、本実施形態のベッド１によれば、ロック付きガススプリング３５の弁体４９が連通路４７を閉じたロック状態を使用者の手の把握動作によりプッシュロッド５３を押し込んで解除する操作手段６０が設けられているとともに、この操作手段６０には、ロック付きガススプリング３５のロック状態を解除した際に、メインフレーム４の昇降速度および背ボトム６の起倒速度が使用者に安全な速度となるようにピストンロッド４２の動作速度を制御する速度制御手段７８が設けられているので、プッシュロッド５３の動作速度、ひいてはメインフレーム４の昇降速度および背ボトム６の起倒速度をともに、使用者に安全な毎秒３〜６ｍｍ程度の速度とすることが容易かつ確実にできる。
【０１２６】
また、本実施形態のベッド１によれば、速度制御手段７８が、プッシュロッド５３を押し込んだ時に、弁体４９が連通路４７を閉じた全閉状態から弁体４９が連通路４７を開いた全開状態へ至るまでの任意の位置を使用者の体重に基づいて取り得るように、プッシュロッド５３の押込量を調節するように形成されているので、プッシュロッド５３の動作速度を、使用者の体重の重い軽いにかかわらず毎秒３〜６ｍｍとすることができる。
【０１２７】
すなわち、使用者が体重の重い人であっても、体重の軽い人であっても、メインフレーム４の昇降速度および背ボトム６の起倒速度を一律に毎秒３〜６ｍｍとすることができる。
【０１２８】
したがって、本実施形態のベッド１によれば、使用者が全体重をボトム７に加えて昇降用に用いるロック付きガススプリング３５Ａの操作手段６０Ａの操作レバー７４を把握すると、昇降用に用いるロック付きガススプリング３５Ａのロックが解除され、ガス反力に抗してプッシュロッド５３が縮小し、メインフレーム４が毎秒５ｍｍ程度のゆっくりとした使用者に安全な速度で下降する。
【０１２９】
また、使用者がボトム７の側部に座って脚を床に着けると、ベッド１に加わる体重が７０％程度に減少し、この状態で昇降用に用いるロック付きガススプリング３５Ａの操作手段６０Ａの操作レバー７４を把握すると、昇降用に用いるロック付きガススプリング３５Ａのロックが解除され、ガス反力によりプッシュロッド５３が伸長し、メインフレーム４が毎秒５ｍｍ程度のゆっくりとした使用者に安全な速度で上昇する。
【０１３０】
同様に、使用者が上体の全体重を背ボトム６に加えて背上げ用に用いるロック付きガススプリング３５Ｂの操作手段６０Ｂの操作レバー７４を把握すると、背上げ用に用いるロック付きガススプリング３５Ｂのロックが解除され、ガス反力に抗してプッシュロッド５３が縮小し、背ボトム６が毎秒５ｍｍ程度のゆっくりとした使用者に安全な速度で倒れる。
【０１３１】
また、使用者が背ボトム６に加える体重を少なくして、背上げ用に用いるロック付きガススプリング３５Ｂの操作手段６０Ｂの操作レバー７４を把握すると、背上げ用に用いるロック付きガススプリング３５Ｂのロックが解除され、ガス反力によりプッシュロッド５３が伸長し、背ボトム６が毎秒５ｍｍ程度のゆっくりとした使用者に安全な速度で起きあがる。
【０１３２】
また、本実施形態のベッド１によれば、ベースフレーム２を上昇させる方向に付勢する付勢手段としての引張りコイルばね３６が設けられているとともに、この引張りコイルばね３６は、使用者の体重に基づいてベースフレーム２を上昇させる方向に付勢する付勢力を調節することができるように形成されているので、使用者の体重の重い軽いにかかわらず、メインフレーム４の昇降動作を行うことができる。
【０１３３】
さらに、本実施形態のベッド１によれば、背ボトム６を起こす方向に付勢する付勢手段としての引張りコイルばね９８が設けられているとともに、この引張りコイルばね９８は、使用者の体重に基づいて背ボトム６を起こす方向に付勢する付勢力を調節することができるように形成されているので、使用者の体重の重い軽いにかかわらず、背ボトム６の起倒動作を行うことができる。
【０１３４】
また、本実施形態のベッド１によれば、速度制御手段７８がプッシュロッド５３を押し込んだ時に、弁体４９が連通路４７を閉じた全閉状態から弁体４９が連通路４７を開いた全開状態へ至るまでの任意の位置を使用者の体重に基づいて取り得るように、プッシュロッド５３の押込量を調節するように形成されているので、特別な構造のロック付きガススプリングを用いずに、市販されているあるいは既存のロック付きガススプリングのピストンロッド４２の動作速度の制御を容易かつ確実に行うことができる。
【０１３５】
したがって、本実施形態のベッド１によれば、使い勝手や汎用性などの向上による高性能化を確実に図ることができるなどの極めて優れた効果を奏する。
【０１３６】
さらに、本実施形態のベッド１の付勢手段によれば、自力で起きあがりや立ち上がりに不安のある高齢者や障害のある人などの起きあがりや立ち上がりを補助することができる。
【０１３７】
例えば、体重が５０ｋｇの人がベッド１の脇に床に足を付けて座った場合にベッド１に加わる重さは、体重の７０％程度の３５ｋｇとなる。ここで、膝関節症や高齢による筋力の低下などで自力で立ち上がる力が仮に半減して５０％しかない人の場合には、３５ｋｇの５０％である１７．５ｋｇ以上の立ち上がりを補助する補助力（上昇力）が必要となる。
【０１３８】
そこで、本実施形態のベッド１においては、昇降用に用いるロック付きガススプリング３５Ａのガス反力１２２５Ｎに、昇降用に用いる付勢手段としての引張りコイルばね３６の力（ばね力）９８Ｎ（１０ｋｇｆ）を加えて総計１３２３Ｎの力でメインフレーム４を毎秒５ｍｍ程度のゆっくりとした速度で上昇させ、立ち上がりができるようになっている。
【０１３９】
なお、本発明は、前述した実施形態に限定されるものではなく、必要に応じて種々の変更が可能である。例えば、ベースフレーム、メインフレーム、ボトム、昇降機構、背上げ機構の構成や形状は前述した実勢形態に限定されるものではなく、その他の適宜構成とすることができる。
【図面の簡単な説明】
【０１４０】
【図１】本発明に係るベッドの実施形態におけるメインフレームを上昇させた状態における全体構成の要部を示す概略部分分解斜視図
【図２】図１のロック付きガススプリングのロック状態における要部を示す断面図
【図３】図２のロック付きガススプリングのロック状態を解除した一般的な状態の要部を示す部分断面図
【図４】図１の操作手段の要部を示す正面図
【図５】図１の昇降用に用いる付勢手段近傍を示す正面図
【図６】図１の起倒用に用いる付勢手段近傍を示す正面図
【符号の説明】
【０１４１】
１  ベッド
２  ベースフレーム
３  昇降機構
４  メインフレーム
５  背上げ機構
６  背ボトム
７  ボトム
１９  背ボトム用回転軸
２３  昇降用駆動アーム
２７  昇降用回転駆動軸
２８  リンク板
２９  連結用ブラケット
３０  上取付部材
３１  上部連結棒
３２  下取付部材
３３  下部連結棒
３５  ロック付きガススプリング
３５Ａ  （昇降用に用いる）ロック付きガススプリング
３５Ｂ  （背上げ用に用いる）ロック付きガススプリング
３６、９８  （付勢手段としての）引張りコイルばね
４１  シリンダ
４１ａ  シリンダ上室
４１ｂ  シリンダ下室
４２  ピストンロッド
４３  ピストン
４７  連通路
４７ａ  弁孔
４７ｂ  オリフィス
４９  弁体
５３  プッシュロッド
６０、６０Ａ、６０Ｂ  操作手段
６１  ロッド側ブラケット
６６  ロッド作動アーム
７０  ボルト部材
７１、７２  （ボルト部材７０に螺着される）ナット
７３  ワイヤ
７４  操作レバー
７６  グリップ
７８、７８Ａ、７８Ｂ  速度制御手段
８１  脚部側連結部材
８２  頭部側連結部材
９１  背上げ用回転軸
９３  背上げ用駆動アーム
９４  アームローラ
１００  連結部材
ＨＳ  頭部側
ＦＳ  脚部側
Ｇ  圧縮ガス
Ｌ  作動油
【図１】
2007282835.tif 000003
【図２】
2007282835.tif 000004
【図３】
2007282835.tif 000005
【図４】
2007282835.tif 000006
【図５】
2007282835.tif 000007
【図６】
2007282835.tif 000008